(57)【特許請求の範囲】
【請求項１】
１つの光源に対して固定フードと可動フードと該可動フードを移動させる駆動装置とが設けられ、前記可動フードを駆動装置の作動によって移動させることで前記光源からの光の反射鏡に達する範囲を可変させ配光特性を切り替えて成る車両用前照灯において、前記光源と駆動装置との間には断熱板が設けられ、前記断熱板は前記光源から遠い側の端部が前記駆動装置を覆うように断面略コ字状に形成され前記駆動装置が取付けられ、前記断熱板の前記光源に近い側の端部には前記固定フードが取付けられ若しくは一体に形成されていると共に、回動軸が設けられていて前記可動フードが回動自在に軸支され、さらに、前記断熱板の少なくとも光源からの直射光が照射される範囲には光拡散処理部が形成されていることを特徴とする車両用前照灯。
【発明の詳細な説明】
【０００１】
【発明の属する技術分野】
本発明は車両用前照灯に関するものであり、詳細には光源に可動式のフードを設けて反射面に達する光源光を制御し１つの光源で走行ビーム配光とすれ違いビーム配光との切り替えを可能とした車両用前照灯に関するものである。
【０００２】
【従来の技術】
従来、この種の車両用前照灯９０は、例えば図６に示すように構成されており、メタルハライドランプなど１つの光源９１には固定フード９２と、該固定フード９２など適宜な固定部に回動軸９３ａで回動自在に軸支された可動フード９３と、該可動フード９３を駆動するための電磁ソレノイドなどの駆動装置９４とが設けられている。
【０００３】
可動フード９３と電磁ソレノイド９４とは、可動フード９３の端部と電磁ソレノイド９４のプランジャー９４ａの端部との夫々に設けられた軸受穴に連接リンク９４ｂが嵌着されて接続されていて、電磁ソレノイド９４を駆動することで可動フード９３は展開位置Ｓから収納位置Ｍへ移動を行うものとされると共に、可動フード９３にはリターンスプリング９３ｂが設けられ、電磁ソレノイド９４の駆動が停止されたときには収納位置Ｍから展開位置Ｓへ復帰を行うものとされている。
【０００４】
電磁ソレノイド９４は反射鏡９５の背面側に固定されていて、すれ違い配光を得るときには前記電磁ソレノイド９４は駆動しないでつまりプランジャー９４ａは吸引されずに可動フード９３はリターンスプリング９３ｂによって展開位置Ｓのままとし、走行配光を得るときには前記電磁ソレノイド９４を駆動してプランジャー９４ａが吸引されることで可動フード９３を回動軸９３ａを軸に回動して収納位置Ｍとして、光源９１から反射鏡９５に達する光を制御して配光の切り替えを行うものである。
【０００５】
【発明が解決しようとする課題】
しかしながら、こうした従来の車両用前照灯９０の場合、電磁ソレノイド９４などの駆動装置は光源９１近傍に回動自在に軸支された可動フード９３を駆動するためものであるので、どうしても光源９１の近くに設置せざるを得ないものである。そのため、光源９１からの放射熱によって電磁ソレノイド９４の温度が上昇し、低い温度のときに比べて吸引力が低下して動作不良を起こすといった問題点を生じてしまい、こうした高温下の状況においても確実な動作を行わせるためにはより大型の電磁ソレノイド９４が必要となってしまい、結果としてこれが前照灯９０全体の大型化、コストアップといった問題点を生じ、この点の解決が課題とされるものとなっている。
【０００６】
【課題を解決するための手段】
本発明は上記した従来の課題を解決するための具体的手段として、１つの光源に対して固定フードと可動フードと該可動フードを移動させる駆動装置とが設けられ、前記可動フードを駆動装置の作動によって移動させることで前記光源からの光の反射鏡に達する範囲を可変させ配光特性を切り替えて成る車両用前照灯において、前記光源と駆動装置との間には断熱板が設けられ、前記断熱板は前記光源から遠い側の端部が前記駆動装置を覆うように断面略コ字状に形成され前記駆動装置が取付けられ、前記断熱板の前記光源に近い側の端部には前記固定フードが取付けられ若しくは一体に形成されていると共に、回動軸が設けられていて前記可動フードが回動自在に軸支され、さらに、前記断熱板の少なくとも光源からの直射光が照射される範囲には光拡散処理部が形成されていることを特徴とする車両用前照灯。
【０００７】
【発明の実施の形態】
次に本発明を図に示す実施形態に基づいて詳細に説明する。
【０００８】
図１に符号１で示すものは本発明に係る車両用前照灯であり、この車両用前照灯１は、回転放物面などの反射面を有する反射鏡２と、この反射鏡２の焦点位置近傍に設置されたメタルハライドランプなどの光源３と、この光源３の前方で光源３からの直射光を遮蔽するなど適宜配光の調整をする固定フード４と、この固定フード４に対し回動軸５ａで回動自在に軸支された可動フード５と、この可動フード５を駆動するための電磁ソレノイド６とによって構成されている。
【０００９】
可動フード５と電磁ソレノイド６とは、可動フード５の端部と電磁ソレノイド６のプランジャー６ａの端部との夫々に設けられた軸受穴に連接リンク６ｂが嵌着されて接続されていて、電磁ソレノイド６を駆動することで可動フード５は展開位置Ｓから収納位置Ｍへ移動を行うものとされると共に、可動フード５には図示しないリターンスプリングが設けられ、電磁ソレノイド６の駆動が停止されたときには収納位置Ｍから展開位置Ｓへ復帰を行うものとされている。
【００１０】
なお、図２に示すように反射鏡２の背面側には光源３を挿着するための光源挿着用開口部２ａと、電磁ソレノイド６を挿着するための電磁ソレノイド挿着用開口部２ｂとが形成されていて、光源３及び電磁ソレノイド６が各々挿着されるようになっている。さらに、反射鏡２の背面にはバネ部材８が取り付けられていて、このバネ部材８の反発力によって光源３と電磁ソレノイド６とが反射鏡２に対し押さえ付けられて保持固定されるようになっている。
【００１１】
こうして構成された車両用前照灯１は、まず、すれ違い配光を得るときには、前記電磁ソレノイド６は駆動しないでつまりプランジャー６ａは吸引されずに可動フード５は図示しないリターンスプリングによって展開位置Ｓのままとされ、走行配光を得るときには、前記電磁ソレノイド６を駆動してプランジャー６ａが吸引されることで可動フード５を回動軸５ａを軸に回動させて収納位置Ｍとして、光源３から反射鏡２に達する光を制御して配光の切り替えを行うものであり、ここまでは従来例のものと同様である。
【００１２】
ここで本発明では、光源３からの放射熱が電磁ソレノイド６に直接伝わるのを防止するために、光源３と電磁ソレノイド６との間に断熱板７が設けられている。断熱板７は、一枚の金属板を打ち抜いて折り曲げる等によって形成されていて、光源３に遠い側の端部が電磁ソレノイド６を覆うように断面略コ字状に形成されている。これによって、光源３からの放射熱が電磁ソレノイド６に直接伝わるのを防ぐと共に、電磁ソレノイド６の取り付けも兼ねている。
【００１３】
また、断熱板７の光源３に近い側の端部には、固定フード４が取り付けられ若しくは一体に形成されていると共に、回動軸５ａが設けられていて可動フード５が回動自在に軸支されている。
【００１４】
こうして、本発明では断熱板７に固定フード４と可動フード５と電磁ソレノイド６とが取り付けられていて、本実施形態では、これら全体が一体化されたユニットとして構成されているものとして説明する。
【００１５】
そして、図２のように反射鏡２に形成された光源挿着用開口部２ａに、まず光源３を反射鏡２の裏面側から挿着し、反射鏡２の裏面に取り付けられたバネ部材８の光源保持部８ａが光源３のフランジ部３ａを反射鏡２の裏面にバネ部材８の反発力によって押さえつけることで、反射鏡２に対し光源３を保持固定する。
【００１６】
次に、前述の通り断熱板７に固定フード４と可動フード５と電磁ソレノイド６とが一体化されたユニットを、灯具前面側より反射鏡２の電磁ソレノイド挿着用開口部２ｂに挿着し、前記バネ部材８の光源保持部８ａと一体に形成された電磁ソレノイド保持部８ｂに断熱板７に形成されたフック部７ａを引っ掛けることにによって、バネ部材８による反発力で前記ユニットを反射鏡２に対し押圧して固定している。なお、フック部７ａは断熱板７を切り起こす等によって一体に形成されている。
【００１７】
こうして、バネ部材８の反発力によって、光源３と電磁ソレノイド６とを一緒に反射鏡２に対して固定することができ、少ない部品点数で構成することが可能になる。
【００１８】
なお、このとき断熱板７は板状の金属で形成されていて光源３の近傍に設置されているため、図３に示すように、光源３からの光を反射し、その反射光が反射鏡２の反射面に当たって前面レンズを通して出射されて、グレア光Ｇを発生してしまうことが考えられる。
【００１９】
そこで本発明においては、さらに断熱板７の光源３からの光が当たる範囲に光拡散処理部７ｂを形成する。光拡散処理部７ｂの形状としては、図５の（ａ）のように光源３側に向かって半球状の凸形状をした突起部を複数形成したり、（ｂ）のように半球状の凹形状をした突起部を複数形成したり、（ｃ）のように光軸に対し垂直な向きに円筒状の突起部を複数形成したものや、（ｄ）のように光軸と同じ向きに円筒状の突起部を形成したもの等が考えられる。また、表面を適宜粗面処理したものでも良く、要は光を拡散させる作用のある面になっていれば良いものである。なお、遮光板７の表面に黒色塗装を施して光吸収面としても同様の効果は得られる。ただし、この場合、断熱板７に対して塗装工程が追加となりコストアップとなってしまう。本発明では、断熱板７の一部を上記のような形状に加工するだけで良く、新たに後工程を追加することなくグレア光Ｇの防止が図れるため、より好ましいものである。
【００２０】
上記のように構成したことで、光源３からの放射熱は断熱板７によって遮断されるため、電磁ソレノイド６に直接光源３からの熱が伝わるのを防いで電磁ソレノイド６の動作不良を防ぐと共に、この断熱板７は電磁ソレノイド６の取り付け保持も兼ねており、さらにこの断熱板７には固定フード４と可動フード５が取り付けられているため、少ない部品点数で構成することが可能となり、前照灯１全体を小型化、軽量化することができるものである。
【００２１】
なお、上記実施形態では駆動装置として電磁ソレノイドを使用した例で説明したが、本発明はこれに限定されず、光源からの熱によって受ける影響が無視できない駆動装置においても同様の効果を発揮することは言うまでもない。
【００２２】
【発明の効果】
以上説明したように本発明によれば、光源と駆動装置との間には断熱板が設けられ、この断熱板に対して固定フードと可動フードと駆動装置とが取り付けられていることを特徴とする車両用前照灯としたことで、光源と駆動装置の間には断熱板が設置され、光源からの熱が駆動装置に直接伝わることを防いでいるため、駆動装置が光源からの熱によって動作不良を起こすことが防止される。そのため大型の駆動装置を用いなくても動作が確実となり、この種の車両用前照灯の小型化と軽量化に優れた効果を奏するものである。また、この断熱板に対し固定フードと可動フードと駆動装置とが取り付けられているため、断熱板を新たに設けたことによって部品点数は増加したものの、この断熱板が全体を一体化する部材の役割も兼ねているため、上記断熱効果に加え、少ない部品点数でユニット化を実現し、さらなる前照灯の小型化と軽量化とに優れた効果を奏するものである。
【００２３】
【図面の簡単な説明】
【図１】本発明に係る車両用前照灯の実施形態を示す断面図である。
【図２】同じ実施形態の反射鏡を示す斜視図である。
【図３】断熱板によってグレア光が発生している状態を示す説明図である。
【図４】本発明の要部を示す斜視図である。
【図５】図４の光拡散処理部の形状例を示す説明図である。
【図６】従来例の要部を示す断面図である。
【符号の説明】
１……車両用前照灯
２……反射鏡
２ａ……光源挿着用開口部
２ｂ……電磁ソレノイド挿着用開口部
３……光源
４……固定フード
５……可動フード
５ａ……回動軸
６……電磁ソレノイド
６ａ……プランジャー
６ｂ……連接リンク
７……断熱板
７ａ……フック部
７ｂ……拡散処理部
８……バネ部材
８ａ……光源保持部
８ｂ……電磁ソレノイド保持部
【図１】
0003971076.tif 000002
【図２】
0003971076.tif 000003
【図３】
0003971076.tif 000004
【図４】
0003971076.tif 000005
【図５】
0003971076.tif 000006
【図６】
0003971076.tif 000007